(57)【要約】【課題】初回起動時に発生するコンデンサへの突入電流を低減させる。【解決手段】電源装置と前記電源装置に接続されるコンデンサインプット型負荷との間に設けられた、コンデンサインプット型負荷で発生する突入電流を防止する突入電流防止部と、初回起動時にコンデンサインプット型負荷の容量を測定する容量測定部と、を備え、容量測定部は、初回起動時にコンデンサインプット型負荷の動作に必要な電圧未満の電圧が印加された場合、電圧が所定の電圧値となった時の電流値からコンデンサインプット型負荷の抵抗値を測定し、電圧を印加したタイミングから所定の電圧値に達するまでの時間と抵抗値からコンデンサインプット型負荷の容量値を算出し、初回起動時以降の起動時には、測定されたコンデンサインプット型負荷の容量値に応じて、突入電流防止部に出力する駆動信号を調整する。【選択図】図５
2020140527.tif 000002
【特許請求の範囲】
【請求項１】
電源装置と前記電源装置に接続されるコンデンサインプット型負荷との間に設けられた、前記コンデンサインプット型負荷で発生する突入電流を防止する突入電流防止部と、
初回起動時に前記コンデンサインプット型負荷の容量を測定する容量測定部と、を備え、
前記容量測定部は、前記初回起動時に前記コンデンサインプット型負荷の動作に必要な電圧未満の電圧が印加された場合、前記電圧が所定の電圧値となった時の電流値から前記コンデンサインプット型負荷の抵抗値を測定し、前記電圧を印加したタイミングから前記所定の電圧値に達するまでの時間と前記抵抗値から前記コンデンサインプット型負荷の容量値を算出し、前記初回起動時以降の起動時には、測定された前記コンデンサインプット型負荷の容量値に応じて、前記突入電流防止部に出力する駆動信号を調整する、
ことを特徴とする電子機器。
【請求項２】
前記容量測定部は、測定した前記容量値に応じて前記駆動信号のＤｕｔｙを変えることにより、前記駆動信号を調整する、
ことを特徴とする請求項１に記載の電子機器。
【請求項３】
前記容量測定部は、測定した前記容量値に応じて、前記駆動信号出力部と前記突入電流防止装置との間に配置された、駆動信号調整用のコンデンサの容量を切り替えることにより、前記駆動信号を調整する、
ことを特徴とする請求項１に記載の電子機器。
【請求項４】
前記容量測定部は、環境温度の変化に応じて、前記コンデンサインプット型負荷の容量を再測定し、前記駆動信号を再調整する第１の再調整を行う、
ことを特徴とする請求項１に記載の電子機器。
【請求項５】
前記容量測定部は、定期的に、前記コンデンサインプット型負荷の容量を再測定し、コンデンサの劣化の程度に応じて、前記駆動信号を再調整する第２の再調整を行う、
ことを特徴とする請求項１に記載の電子機器。
【請求項６】
前記容量測定部は、前記電子機器の消費電力に関係する設定が変更された場合に、前記コンデンサインプット型負荷の容量を再測定し、前記駆動信号を再調整する第３の再調整を行う、
ことを特徴とする請求項１に記載の電子機器。
【請求項７】
環境温度の変化に応じて、前記コンデンサインプット型負荷の容量を再測定し、前記駆動信号を再調整する第１の再調整と、定期的に、前記コンデンサインプット型負荷の容量を再測定し、コンデンサの劣化の程度に応じて、前記駆動信号を再調整する第２の再調整と、前記電子機器の消費電力に関係する設定が変更された場合に、前記コンデンサインプット型負荷の容量を再測定し、前記駆動信号を再調整する第３の再調整と、のいずれかを選択可能な操作表示部を備え、
前記容量測定部は、前記操作表示部を介してユーザから選択された前記第１の再調整、前記第２の再調整、前記第３の再調整のいずれかを実行する、
ことを特徴とする請求項１に記載の電子機器。
【請求項８】
電源装置と前記電源装置に接続されるコンデンサインプット型負荷との間に設けられた、前記コンデンサインプット型負荷で発生する突入電流を防止する突入電流防止部と、初回起動時に前記コンデンサインプット型負荷の容量を測定する容量測定部と、を備えた電子機器で行われる突入電流制御方法であって、
前記容量測定部が、前記初回起動時に前記コンデンサインプット型負荷の動作に必要な電圧未満の電圧が印加された場合、前記電圧が所定の電圧値となった時の電流値から前記コンデンサインプット型負荷の抵抗値を測定し、
前記容量測定部が、前記電圧を印加したタイミングから前記所定の電圧値に達するまでの時間と前記抵抗値から前記コンデンサインプット型負荷の容量値を算出し、
前記容量測定部が、前記初回起動時以降の起動時には、測定された前記コンデンサインプット型負荷の容量値に応じて、前記突入電流防止部に出力する駆動信号を調整する、
ことを特徴とする突入電流制御方法。
【請求項９】
電源装置と前記電源装置に接続されるコンデンサインプット型負荷との間に設けられた、前記コンデンサインプット型負荷で発生する突入電流を防止する突入電流防止部と、初回起動時に前記コンデンサインプット型負荷の容量を測定する容量測定部と、を備えた電子機器に、
前記初回起動時に前記コンデンサインプット型負荷の動作に必要な電圧未満の電圧が印加された場合、前記電圧が所定の電圧値となった時の電流値から前記コンデンサインプット型負荷の抵抗値を測定する処理と、
前記電圧を印加したタイミングから前記所定の電圧値に達するまでの時間と前記抵抗値から前記コンデンサインプット型負荷の容量値を算出する処理と、
前記初回起動時以降の起動時には、測定された前記コンデンサインプット型負荷の容量値に応じて、前記突入電流防止部に出力する駆動信号を調整する処理と、
を実行させることを特徴とする突入電流制御プログラム。
【発明の詳細な説明】
【技術分野】
【０００１】
本発明は、電子機器、突入電流制御方法、および突入電流制御プログラムに関する。
【背景技術】
【０００２】
電源装置に搭載されたコンデンサへの突入電流を低減する技術がある。例えば、特許文献１では、電子部品を搭載した一又は二以上の基板（カード１０）と、これら基板に電源電圧を供給する電源手段３０と、各基板に搭載されたコンデンサ１１の総容量にもとづいて、電源電圧の起動時間を設定し、設定した起動時間を電源手段３０へ送る管理手段（上位装置２０）とを備え、電源手段３０が、起動時間にもとづいて、電源電圧を起動する構成が開示されている。
【発明の概要】
【発明が解決しようとする課題】
【０００３】
しなしながら、特許文献１では、コンデンサへの突入電流を低減するとともに、コンデンサの総容量に基づいて設定した電源電圧の起動時間を電源手段へ送っているに過ぎず、コンデンサ容量の測定方法や測定実施タイミングについては記載されていない。例えば、特許文献１では、単にカード１０の構成（枚数）に応じたコンデンサの総容量だけに基づいた起動時間を制御しているため、装置の初回起動時に発生する突入電流を防止することはできない。
【０００４】
本発明は、初回起動時に発生するコンデンサへの突入電流を低減させることが可能な電子機器を提供することを目的とする。
【課題を解決するための手段】
【０００５】
本発明の一態様にかかる電子機器は、電源装置と前記電源装置に接続されるコンデンサインプット型負荷との間に設けられた、前記コンデンサインプット型負荷で発生する突入電流を防止する突入電流防止部と、初回起動時に前記コンデンサインプット型負荷の容量を測定する容量測定部と、を備え、前記容量測定部は、前記初回起動時に前記コンデンサインプット型負荷の動作に必要な電圧未満の電圧が印加された場合、前記電圧が所定の電圧値となった時の電流値から前記コンデンサインプット型負荷の抵抗値を測定し、前記電圧を印加したタイミングから前記所定の電圧値に達するまでの時間と前記抵抗値から前記コンデンサインプット型負荷の容量値を算出し、前記初回起動時以降の起動時には、測定された前記コンデンサインプット型負荷の容量値に応じて、前記突入電流防止部に出力する駆動信号を調整する、ことを特徴とする電子機器として構成される。
【発明の効果】
【０００６】
本発明によれば、初回起動時に発生するコンデンサへの突入電流を低減させることができる。
【図面の簡単な説明】
【０００７】
【図１】画像形成装置の電源制御に関する構成例を示す図である。
【図２】図１に示した容量測定回路が負荷回路に印加する電圧と時間の関係を示す図である。
【図３】駆動信号出力部が出力する駆動信号電圧と、充電時間との関係を示すグラフである。
【図４】画像形成装置で設定されるコンデンサの容量と駆動信号の調整レベルとの関係を示すグラフである。
【図５】本実施例で行われる駆動信号調整処理の処理手順を示すフローチャートである。
【図６】駆動信号を出力するラインのコンデンサ容量を切り替えることで突入電流防止装置の駆動信号を調整する場合の構成図である。
【図７】電子黒板のハードウェア構成図である。
【図８】液体吐出装置（インクジェットプリンタ）のハードウェア構成図である。
【図９】ＰＣ（サーバ）のハードウェア構成図である。
【図１０】ビデオ会議端末のハードウェア構成図である。
【図１１】プロジェクタのハードウェア構成図である。
【図１２】ＭＦＰのハードウェア構成図である。
【発明を実施するための形態】
【０００８】
以下、添付図面を参照して、電子機器、突入電流制御方法、および突入電流制御プログラムの実施の形態を詳細に説明する。
本実施例では、電子機器の一例である情報処理装置に搭載された電源装置に接続され、前記電源装置に接続されるコンデンサインプット型負荷で発生する突入電流を防止するために、コンデンサインプット型負荷に電圧を印加して、電圧が一定となった時の電流からコンデンサインプット型負荷の抵抗成分を測定し、さらに電圧印加から所定の電圧に達するまでの時間から容量を算出することが特徴になっている。
【０００９】
より具体的には、情報処理装置の一例である画像形成装置に搭載された電源装置と前記電源装置に接続されるコンデンサインプット型負荷との間に設けられた、前記コンデンサインプット型負荷で発生する突入電流を防止する突入電流防止部と、前記情報処理装置や画像形成装置の初回起動時に前記コンデンサインプット型負荷の容量を測定する容量測定部と、を備え、前記容量測定部は、前記初回起動時に前記コンデンサインプット型負荷の動作に必要な電圧未満の電圧が印加された場合、前記電圧が所定の電圧値となった時の電流値から前記コンデンサインプット型負荷の抵抗値を測定し、前記電圧を印加したタイミングから前記所定の電圧値に達するまでの時間と前記抵抗値から前記コンデンサインプット型負荷の容量値を算出し、前記初回起動時以降の起動時には、測定された前記コンデンサインプット型負荷の容量値に応じて、前記突入電流防止部に出力する駆動信号を調整する。
なお、情報処理装置は、通信機能を備えた装置であれば、画像形成装置に限られない。情報処理装置は、例えば、ＰＪ（Projector：プロジェクタ）、ＩＷＢ（Interactive White Board：相互通信が可能な電子式の黒板機能を有する白板）、デジタルサイネージ等の出力装置、ＨＵＤ（Head Up Display）装置、産業機械、撮像装置、集音装置、医療機器、ネットワーク家電、自動車（Connected Car）、ノートＰＣ（Personal Computer）、携帯電話、スマートフォン、タブレット端末、ゲーム機、ＰＤＡ（Personal Digital Assistant）、デジタルカメラ、ウェアラブルＰＣまたはデスクトップＰＣ等であってもよい。
【００１０】
図１は、本実施例における画像形成装置１０００の電源制御に関する構成例を示す図である。図１に示すように、画像形成装置１０００は、電源装置１００と、突入防止装置２００と、負荷回路３００と、電圧モニタ回路４００と、駆動信号出力部５００とを有している。
電源装置１００は、交流電源ＡＣから得られる交流電圧を直流電圧に変換するコンバータである。本実施例では、電源装置１００は、交流電圧を２４Ｖの直流電圧に変換する。
突入電流防止装置２００は、電源投入時に素子に流れる突入電流を抑制する装置である。本実施例では、突入電流防止装置２００は、電源装置１００と電源装置１００に接続される負荷回路３００との間に設けられ、負荷回路３００のコンデンサインプット型負荷で発生する突入電流を防止する。
負荷回路３００は、コンデンサインプット型の負荷回路であり、コンデンサＣ１と抵抗負荷Ｒ１とを有する。
【００１１】
画像形成装置１０００には、電源装置１００に接続された突入電流防止装置２００の後段である下流側に、容量測定回路４００が設けられている。容量測定回路４００は、負荷抵抗Ｒ２と、容量測定部４０１とを有し、コンデンサインプット型の負荷回路３００に設けられたコンデンサＣ１の容量を測定する。容量測定回路４００は、画像形成装置１００の中で最初に起動するコントローラに搭載され、コントローラの電源である５Ｖを、負荷回路３００に印加する。
【００１２】
例えば、容量測定部４０１は、画像形成装置１０００の初回起動時に負荷回路３００のコンデンサインプット型負荷の容量を測定する電圧モニタ回路４００に設けられ、初回起動時に負荷回路３００のコンデンサインプット型負荷の動作に必要な電圧未満の電圧が印加された場合、その電圧が所定の電圧値となった時の電流値から負荷回路３００のコンデンサインプット型負荷の抵抗値（抵抗負荷Ｒ１の値）を測定する。そして、容量測定部４０１は、その電圧を印加したタイミングから上記所定の電圧値に達するまでの時間と測定した抵抗値から負荷回路３００のコンデンサインプット型負荷の容量値（コンデンサＣ１の値）を算出し、初回起動時以降の起動時には、測定された負荷回路３００のコンデンサインプット型負荷の容量値に応じて、駆動信号出力部５００が突入電流防止装置２００に出力する駆動信号を調整する。
駆動信号出力部５００は、電圧モニタ回路４００により調整された駆動信号を突入電流防止装置２００に出力する。
【００１３】
図２は、図１に示した容量測定回路４００が負荷回路３００に印加する電圧Ｖ１と時間の関係を示す図である。図２に示すように、容量測定部４０１は、負荷回路３００に印加する電圧が略一定の値Ｘとなったことを検知した場合に、負荷抵抗Ｒ２に流れる電流の値から、負荷回路３００の負荷抵抗Ｒ１の抵抗値を算出する。さらに、容量測定部４０１は、上記電圧Ｖ１が、予め定められた電圧Ｖｔ１となるまでの充電時間ｔ１と、算出した上記負荷抵抗Ｒ１の値とから、例えば、以下のようにコンデンサＣ１の容量を算出する。
【００１４】
＜計算式例＞
電圧Ｖ１が一定となった時の値をＶｓ１とすると、上記負荷抵抗Ｒ１は、以下の算式により求めることができる。
【００１５】
【数１】
2020140527.tif 000003
【００１６】
また、時間０ｓｅｃの時の電圧Ｖ１の値を０、上記時間ｔ１における電圧Ｖ１の値をＶｔ１とすると、コンデンサＣ１の容量は、以下の算式により求めることができる。
【００１７】
【数２】
2020140527.tif 000004
【００１８】
図３は、駆動信号出力部５００が出力する駆動信号電圧と、上記計算式で算出した充電時間ｔ１との関係を示すグラフである。図３では、定められた突入電流の値に収めるために、駆動信号を駆動信号電圧の傾きで調整する場合の例を示している図３、および上記算式に示すように、グラフｆの傾きが大きく急であるほど装置の起動が早くなるが、定められた突入電流の値に収めるためのコンデンサＣ１の容量は小さくなることがわかる（Ａ）。一方、グラフｆの傾きが小さく緩やかであるほど装置の起動が遅くなるが、定められた突入電流の値に収めるためのコンデンサＣ１の容量は大きくなることがわかる（Ａ’）。このような駆動信号の傾き(=起動時間)とコンデンサＣ１の容量との関係に着目し、容量測定回路４００の容量測定部４０１は、駆動信号出力部５００が出力する駆動信号を調整する。
【００１９】
図４は、画像形成装置１０００で設定されるコンデンサＣ１の容量と駆動信号の調整レベルとの関係を示すグラフである。図４では、駆動信号の傾きとコンデンサＣ１との関係をグラフ形式で示しているが、テーブル形式で保持しても良い。図４で示すグラフｇは、容量測定部４０１は、算出したコンデンサＣ１の容量に対して、上記グラフｆの傾きをＤとすることで駆動信号出力部５００が出力する駆動信号を調整し、突入電流防止装置２００が、定められた突入電流の値に収めることが可能となるように制御している。このように、上記関係に基づいて駆動信号を設定し、突入電流防止装置２００に印加することで、定められた突入電流の範囲内で突入電流防止装置２００の起動時間を早くすることができる。
【００２０】
図５は、本実施例で行われる駆動信号調整処理の処理手順を示すフローチャートである。図５では、画像形成装置１０００が客先に設置された場合の処理を示している。
図５に示すように、画像形成装置１０００のメイン電源のスイッチがＯＮされると（Ｓ５０１）、容量測定部４０１は、画像形成装置１０００が設置された後の初回起動であるか否かを判定する（Ｓ５０２）。
容量測定部４０１は、画像形成装置１０００が設置された後の初回起動であると判定した場合（Ｓ５０２；Ｙｅｓ）、上記算出方法により、コンデンサＣ１の容量を測定する（Ｓ５０３）。
【００２１】
容量測定部４０１は、測定したコンデンサＣ１の容量に応じて、駆動信号出力部５００が出力すべき駆動信号のレベルを調整する（Ｓ５０４）。例えば、容量測定部４０１は、図４に示したグラフｇを用いて、測定したコンデンサＣ１の容量から図３に示したグラフｆの傾きを求め、駆動信号のレベルを調整する。このように、容量測定部４０１は、Ｓ５０３、Ｓ５０４のようなキャリブレーション動作を行う。なお、容量測定部４０１は、測定したコンデンサＣ１の容量値に応じて、駆動信号のＤｕｔｙ（Ｄｕｔｙ比）を変えることで駆動信号のレベルを調整してもよい。
駆動信号出力部５００は、容量測定回路４００で調整された駆動信号を突入防止装置２００に出力して駆動する（Ｓ５０５）。その後、画像形成装置１０００がスタンバイ状態となる。
【００２２】
一方、容量測定部４０１は、画像形成装置１０００が設置された後の初回起動でないと判定した場合（Ｓ５０２；Ｎｏ）、さらに、オプション構成等の変更があったか否かを判定し（Ｓ５０６）、オプション構成等の変更があったと判定した場合（Ｓ５０６；Ｙｅｓ）、Ｓ５０３に進み、コンデンサＣ１の容量を再測定し、以降の処理を行う（Ｓ５０３〜Ｓ５０５）。なお、容量測定部４０１は、オプション構成等の変更がなかったと判定した場合（Ｓ５０６；Ｎｏ）、Ｓ５０５に進み、そのまま駆動信号出力部５００が駆動信号を出力する。オプション構成等の変更としては、例えば、画像形成装置１０００の設定モードが通常モードから省エネモードに変更された場合（あるいはその逆の場合）や電源を必要とするメンテナンス部品の交換等、画像形成装置１０００の消費電力に関係する設定が変更された場合が挙げられる。
【００２３】
このように、容量測定回路４００の容量測定部４０１が、センサ等によって画像形成装置１０００のオプション構成が変わったことを検知して上記のようなオプション構成等に変更があったと判定した場合に、負荷回路３００のコンデンサインプット型負荷の容量値を再測定することで、突入電流防止装置２００の駆動信号を再調整する。これにより、オプション構成等の変更によって負荷容量が変わった場合でも電源起動時間を最適化できる。
また、駆動信号の再調整は、オプション変更等の場合に限らない。例えば、容量測定回路４００の容量測定部４０１が、画像形成装置１０００に設けられた各種センサ（例えば、装置周辺の環境の温度を計測する温度センサ）が所定の温度変化を検知した場合に、当該温度変化に応じて、負荷回路３００のコンデンサインプット型負荷の容量値を再測定することで、突入電流防止装置２００の駆動信号を再調整してもよい。これにより、画像形成装置１０００が設置された環境での温度変化で負荷容量が変わった場合でも電源起動時間を最適化できる。
【００２４】
さらに、駆動信号の再調整は、上記のようなオプション変更等の場合や、温度変化を検知した場合だけでなく、容量測定回路４００の容量測定部４０１が、定期的（例えば、６ヶ月に一度の点検タイミング）に負荷回路３００のコンデンサインプット型負荷の容量値を再測定し、所定の容量変化（劣化）を検知した場合に、コンデンサの劣化の程度に応じて、突入電流防止装置２００の駆動信号を再調整してもよい。これにより、経時劣化で負荷容量が変わった場合でも電源起動時間を最適化できる。
このように、図５に示した駆動信号調整処理のキャリブレーション動作を行うことにより、設定後の画像形成装置の起動時間を早くすることができる。
図６は、駆動信号を出力するラインのコンデンサ容量を切り替えることで突入電流防止装置の駆動信号を調整する場合の構成図である。図６では、駆動信号出力部５００と突入電流防止装置２００との間の経路に、互いに容量の異なる駆動信号調整用のコンデンサＣ２、Ｃ３を配置し、駆動信号出力部５００が、これらの容量の異なるコンデンサをスイッチＳで切り替えることで駆動信号の傾きを変え、突入電流防止装置２００の電源供給抑制レベルを調整する。このような構成によっても、上記駆動信号を調整し、突入電流防止装置２００が、定められた突入電流の値に収めるように制御することができる。さらに、図１の構成と図６の構成とを組み合わせた構成としてもよい。これにより、駆動信号のレベルをより細かく調整することができる。
【００２５】
さらに、上述した駆動信号の調整方法をユーザにより選択させ、選択された調整方法により駆動信号を調整してもよい。例えば、画像形成装置１０００に設けられた操作表示部（例えば、タッチパネルやディスプレイ）に、上記のような３つの調整（環境温度の変化を検知したことに伴う調整（第１の再調整）、定期的な調整（第２の再調整）、オプション構成等の変更に伴う調整（第３の再調整））を行うための選択ボタンを表示し、ユーザにこれらの調整方法を選択させ、いずれか（またはこれらの組み合わせ）を実行してもよい。これにより、ユーザが調整対象とする画像形成装置１０００に相応しいと判断した調整方法で突入電流防止装置２００の駆動信号を再調整することができる。
このように、本実施例によれば、コンデンサの容量の測定タイミングを制御して、測定した容量に応じて、駆動電圧を変えることで突入電流防止装置の駆動信号を調整することでコンデンサへの突入電流を低減させ、電源起動時間が必要以上に長くなることを抑えることができる。
【００２６】
例えば、従来の画像形成装置に搭載される突入電流防止装置では、スイッチ素子を緩やかにオンするために下流側である後段への電源供給も緩やかになって起動時間の遅延につながっていた。また、最大負荷構成を想定した固定回路でスイッチ素子をオンさせていたため、起動時間も必要以上に遅延してしまうという問題があったが、本実施例によればこのような問題を解消することができる。
上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたASIC（Application Specific Integrated Circuit）、DSP（digital signal processor）、FPGA（field programmable gate array）や従来の回路モジュール等のデバイスを含むものとする。
また、実施例に記載された装置群は、本明細書に開示された実施形態を実施するための複数のコンピューティング環境のうちの1つを示すものにすぎない。例えば、電子機器が情報処理装置である場合、サーバクラスタといった複数のコンピューティングデバイスを含む。複数のコンピューティングデバイスは、ネットワークや共有メモリなどを含む任意のタイプの通信リンクを介して互いに通信するように構成されており、本明細書に開示された処理を実施する。この場合、複数のコンピューティングデバイスのうちの第１の装置および第２の装置は、開示された処理ステップ、例えば図５を様々な組み合わせで共有するように構成できる。例えば、所定のユニットによって実行されるプロセスは、第２の装置によって実行され得る。同様に、所定のユニットの機能は、第２の装置によって実行することができる。また、第１の装置と第２の装置の各要素は、１つのサーバ装置にまとめられていても良いし、複数の装置に分けられていても良い。
【００２７】
図７は、電子黒板のハードウェア構成図である。図７に示されているように、電子黒板２は、ＣＰＵ(Central Processing Unit)２０１、ＲＯＭ(Read Only Memory)２０２、ＲＡＭ(Random Access Memory)２０３、ＳＳＤ(Solid State Drive)２０４、ネットワークＩ／Ｆ２０５、及び、外部機器接続Ｉ／Ｆ(Interface)２０６を備えている。
これらのうち、ＣＰＵ２０１は、電子黒板２全体の動作を制御する。ＲＯＭ２０２は、ＣＰＵ２０１やＩＰＬ(Initial Program Loader)等のＣＰＵ２０１の駆動に用いられるプログラムを記憶する。ＲＡＭ２０３は、ＣＰＵ２０１のワークエリアとして使用される。ＳＳＤ２０４は、電子黒板用のプログラム等の各種データを記憶する。ネットワークコントローラ２０５は、通信ネットワーク１００との通信を制御する。外部機器接続Ｉ／Ｆ２０６は、各種の外部機器を接続するためのインターフェースである。この場合の外部機器は、例えば、ＵＳＢ(Universal Serial Bus)メモリ２３０、外付け機器（マイク２４０、スピーカ２５０、カメラ２６０）である。
また、電子黒板２は、キャプチャデバイス２１１、ＧＰＵ２１２、ディスプレイコントローラ２１３、接触センサ２１４、センサコントローラ２１５、電子ペンコントローラ２１６、近距離通信回路２１９、及び近距離通信回路２１９のアンテナ２１９ａ、電源スイッチ２２２及び選択スイッチ類２２３を備えている。
【００２８】
これらのうち、キャプチャデバイス２１１は、外付けのＰＣ(Personal Computer))２７０のディスプレイに対して映像情報を静止画または動画として表示させる。ＧＰＵ(Graphics Processing Unit)２１２は、グラフィクスを専門に扱う半導体チップである。ディスプレイコントローラ２１３は、ＧＰＵ２１２からの出力画像をディスプレイ２８０等へ出力するために画面表示の制御及び管理を行う。接触センサ２１４は、ディスプレイ２８０上に電子ペン２９０やユーザの手Ｈ等が接触したことを検知する。センサコントローラ２１５は、接触センサ２１４の処理を制御する。接触センサ２１４は、赤外線遮断方式による座標の入力及び座標の検出を行う。この座標の入力及び座標の検出する方法は、ディスプレイ２８０の上側両端部に設置された２つ受発光装置が、ディスプレイ２８０に平行して複数の赤外線を放射し、ディスプレイ２８０の周囲に設けられた反射部材によって反射されて、受光素子が放射した光の光路と同一の光路上を戻って来る光を受光する方法である。接触センサ２１４は、物体によって遮断された２つの受発光装置が放射した赤外線のＩＤをセンサコントローラ２１５に出力し、センサコントローラ２１５が、物体の接触位置である座標位置を特定する。電子ペンコントローラ２１６は、電子ペン２９０と通信することで、ディスプレイ２８０へのペン先のタッチやペン尻のタッチの有無を判断する。近距離通信回路２１９は、ＮＦＣ(Near Field Communication)やＢｌｕｅｔｏｏｔｈ（登録商標）等の通信回路である。電源スイッチ２２２は、電子黒板２の電源のＯＮ／ＯＦＦを切り換えるためのスイッチである。選択スイッチ類２２３は、例えば、ディスプレイ２８０の表示の明暗や色合い等を調整するためのスイッチ群である。
【００２９】
更に、電子黒板２は、バスライン２１０を備えている。バスライン２１０は、図７に示されているＣＰＵ２０１等の各構成要素を電気的に接続するためのアドレスバスやデータバス等である。
なお、接触センサ２１４は、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。また、電子ペンコントローラ２１６が、電子ペン２９０のペン先及びペン尻だけでなく、電子ペン２９０のユーザが握る部分や、その他の電子ペンの部分のタッチの有無を判断するようにしてもよい。
【００３０】
図８は、液体吐出装置（インクジェットプリンタ）のハードウェア構成図である。図８に示されているように、液体吐出装置３は、ＣＰＵ３０１(Central Processing Unit)３０１、ＲＯＭ(Read Only Memory)３０２、ＲＡＭ(Random Access Memory)３０３、ＮＶＲＡＭ(Non-Volatile Random Access Memory)３０４、外部機器接続Ｉ／Ｆ３０８、ネットワークＩ／Ｆ３０９、及びバスライン３１０を備えている。また、液体吐出装置３は、紙搬送部３１１、副走査ドライバ３１２、主走査ドライバ３１３、キャリッジ３２０、及び操作パネル３３０を備えている。更に、キャリッジ３２０は、液体吐出ヘッド３２１、及び液体吐出ヘッドドライバ３２２を備えている。
これらのうち、ＣＰＵ３０１は、液体吐出装置３全体の動作を制御する。ＲＯＭ３０２は、ＩＰＬ等のＣＰＵ３０１の駆動に用いられるプログラム等を記憶する。ＲＡＭ３０３は、ＣＰＵ３０１のワークエリアとして使用される。ＮＶＲＡＭ３０４は、プログラム等の各種データを記憶し、液体吐出装置３の電源が遮断されている間も各種データを保持する。外部機器接続Ｉ／Ｆ３０６は、ＵＳＢ(Universal Serial Bus)ケーブル等により、ＰＣ(Personal Computer)に接続され、ＰＣとの間で、制御信号や印刷されるデータの通信を行う。ネットワークＩ／Ｆ３０９は、インターネット等の通信ネットワーク１００を利用してデータ通信をするためのインターフェースである。バスライン３１０は、ＣＰＵ３０１等の各構成要素を電気的に接続するためのアドレスバスやデータバス等である。
紙搬送部３１１は、例えば、ローラ、及びローラを駆動するモータであって、液体吐出装置３内の搬送経路に沿って副走査方向へ印刷用紙を搬送する。副走査ドライバ３１２は、紙搬送部３３３の副走査方向への移動を制御する。主走査ドライバ３１１は、キャリッジ３２０の主走査方向への移動を制御する。
【００３１】
キャリッジ３２０の液体吐出ヘッド３２１は、インク等の液体を吐出するための複数のノズルを有しており、その吐出面（ノズル面）が、印刷用紙側を向くようにキャリッジ３２０に搭載されている。液体吐出ヘッド３２１は、主走査方向に移動しながら、副走査方向に間欠的に搬送される印刷用紙に液体を吐出することで、印刷用紙の所定位置に液体を吐出して画像を形成する。液体吐出ヘッドドライバ３２２は、液体吐出ヘッド３２１の駆動を制御するためのドライバである。
操作パネル３３２は、現在の設定値や選択画面等を表示させ、操作者からの入力を受け付けるタッチパネルやアラームランプ等により構成されている。
なお、液体吐出ヘッドドライバ３２２は、キャリッジ３２０に搭載されず、キャリッジ３２０外で、バスラインに接続されるように構成してもよい。また、主走査ドライバ３１３、副走査ドライバ３１２、及び液体吐出ヘッドドライバ３２２は、それぞれプログラムに従ったＣＰＵ３０１の命令によって実現する機能であってもよい。
【００３２】
図９は、ＰＣ（サーバ）のハードウェア構成図である。ここでは、サーバ５のハードウェア構成について説明する。
図９に示されているように、サーバ５は、コンピュータによって構築されており、図９に示されているように、ＣＰＵ５０１、ＲＯＭ５０２、ＲＡＭ５０３、ＨＤ５０４、ＨＤＤ(Hard Disk Drive)コントローラ５０５、ディスプレイ５０６、外部機器接続Ｉ／Ｆ(Interface)５０８、ネットワークＩ／Ｆ５０９、データバス５１０、キーボード５１１、ポインティングデバイス５１２、ＤＶＤ−ＲＷ(Digital Versatile Disk Rewritable)ドライブ５１４、メディアＩ／Ｆ５１６を備えている。
【００３３】
これらのうち、ＣＰＵ５０１は、サーバ５全体の動作を制御する。ＲＯＭ５０２は、ＩＰＬ等のＣＰＵ５０１の駆動に用いられるプログラムを記憶する。ＲＡＭ５０３は、ＣＰＵ５０１のワークエリアとして使用される。ＨＤ５０４は、プログラム等の各種データを記憶する。ＨＤＤコントローラ５０５は、ＣＰＵ５０１の制御にしたがってＨＤ５０４に対する各種データの読み出し又は書き込みを制御する。ディスプレイ５０６は、カーソル、メニュー、ウィンドウ、文字、又は画像などの各種情報を表示する。外部機器接続Ｉ／Ｆ５０８は、各種の外部機器を接続するためのインターフェースである。この場合の外部機器は、例えば、ＵＳＢ(Universal Serial Bus)メモリやプリンタ等である。ネットワークＩ／Ｆ５０９は、通信ネットワーク１００を利用してデータ通信をするためのインターフェースである。バスライン５１０は、図９に示されているＣＰＵ５０１等の各構成要素を電気的に接続するためのアドレスバスやデータバス等である。
また、キーボード５１１は、文字、数値、各種指示などの入力のための複数のキーを備えた入力手段の一種である。ポインティングデバイス５１２は、各種指示の選択や実行、処理対象の選択、カーソルの移動などを行う入力手段の一種である。ＤＶＤ−ＲＷドライブ５１４は、着脱可能な記録媒体の一例としてのＤＶＤ−ＲＷ５１３に対する各種データの読み出し又は書き込みを制御する。なお、ＤＶＤ−ＲＷに限らず、ＤＶＤ−Ｒ等であってもよい。メディアＩ／Ｆ５１６は、フラッシュメモリ等の記録メディア５１５に対するデータの読み出し又は書き込み（記憶）を制御する。
【００３４】
図１０は、ビデオ会議端末のハードウェア構成図である。図１０に示されているように、ビデオ会議端末７は、ＣＰＵ７０１、ＲＯＭ７０２、ＲＡＭ７０３、フラッシュメモリ７０４、ＳＳＤ７０５、メディアＩ／Ｆ７０７、操作ボタン７０８、電源スイッチ７０９、バスライン７１０、ネットワークＩ／Ｆ７１１、カメラ７１２、撮像素子Ｉ／Ｆ、マイク７１４、スピーカ７１５、音入出力Ｉ／Ｆ７１６、ディスプレイＩ／Ｆ７１７、外部機器接続Ｉ／Ｆ(Interface)７１８、近距離通信回路７１９、近距離通信回路７１９のアンテナ７１９ａを備えている。これらのうち、ＣＰＵ７０１は、ビデオ会議端末７全体の動作を制御する。ＲＯＭ７０２は、ＩＰＬ等のＣＰＵ７０１の駆動に用いられるプログラムを記憶する。ＲＡＭ７０３は、ＣＰＵ７０１のワークエリアとして使用される。フラッシュメモリ７０４は、通信用プログラム、画像データ、及び音データ等の各種データを記憶する。ＳＳＤ７０５は、ＣＰＵ７０１の制御にしたがってフラッシュメモリ７０４に対する各種データの読み出し又は書き込みを制御する。なお、ＳＳＤに代えてＨＤＤを用いてもよい。メディアＩ／Ｆ７０７は、フラッシュメモリ等の記録メディア７０６に対するデータの読み出し又は書き込み（記憶）を制御する。操作ボタン７０８は、ビデオ会議端末７の宛先を選択する場合などに操作されるボタンである。電源スイッチ７０９は、ビデオ会議端末７の電源のＯＮ／ＯＦＦを切り換えるためのスイッチである。
【００３５】
また、ネットワークＩ／Ｆ７１１は、インターネット等の通信ネットワーク１００を利用してデータ通信をするためのインターフェースである。ＣＭＯＳ(Complementary Metal Oxide Semiconductor)センサ７１２は、ＣＰＵ７０１の制御に従って被写体を撮像して画像データを得る内蔵型の撮像手段の一種である。なお、ＣＭＯＳセンサではなく、ＣＣＤ(Charge Coupled Device)センサ等の撮像手段であってもよい。撮像素子Ｉ／Ｆ７１３は、ＣＭＯＳセンサ７１２の駆動を制御する回路である。マイク７１４は、音を電気信号に変える内蔵型の回路である。スピーカ７１５は、電気信号を物理振動に変えて音楽や音声などの音を生み出す内蔵型の回路である。音入出力Ｉ／Ｆ７１６は、ＣＰＵ７０１の制御に従ってマイク７１４及びスピーカ７１５との間で音信号の入出力を処理する回路である。ディスプレイＩ／Ｆ７１７は、ＣＰＵ７０１の制御に従って外付けのディスプレイに画像データを送信する回路である。外部機器接続Ｉ／Ｆ７１８は、各種の外部機器を接続するためのインターフェースである。近距離通信回路７１９は、ＮＦＣ(Near Field Communication)やＢｌｕｅｔｏｏｔｈ（登録商標）等の通信回路である。
【００３６】
また、バスライン７１０は、図１０に示されているＣＰＵ７０１等の各構成要素を電気的に接続するためのアドレスバスやデータバス等である。
ディスプレイ７２０は、被写体の画像や操作用アイコン等を表示する液晶や有機ＥＬ(Electro Luminescence)等によって構成された表示手段の一種である。また、ディスプレイ７２０は、ケーブルによってディスプレイＩ／Ｆ７１７に接続される。このケーブルは、アナログＲＧＢ（ＶＧＡ）信号用のケーブルであってもよいし、コンポーネントビデオ用のケーブルであってもよいし、ＨＤＭＩ(High-Definition Multimedia Interface)（登録商標）やＤＶＩ(Digital Video Interactive)信号用のケーブルであってもよい。
なお、ＣＭＯＳ(Complementary Metal Oxide Semiconductor)センサ７１２は、ＣＰＵ４０１の制御に従って被写体を撮像して画像データを得る内蔵型の撮像手段の一種である。なお、ＣＭＯＳセンサではなく、ＣＣＤ(Charge Coupled Device)センサ等の撮像手段であってもよい。外部機器接続Ｉ／Ｆ７１８には、ＵＳＢケーブル等によって、外付けカメラ、外付けマイク、及び外付けスピーカ等の外部機器がそれぞれ接続可能である。外付けカメラが接続された場合には、ＣＰＵ７０１の制御に従って、内蔵型のＣＭＯＳセンサ７１２に優先して、外付けカメラが駆動する。同じく、外付けマイクが接続された場合や、外付けスピーカが接続された場合には、ＣＰＵ７０１の制御に従って、それぞれが内蔵型のマイク７１４や内蔵型のスピーカ７１５に優先して、外付けマイクや外付けスピーカが駆動する。
【００３７】
また、記録メディア７０６は、ビデオ会議端末７に対して着脱自在な構成となっている。また、ＣＰＵ７０１の制御にしたがってデータの読み出し又は書き込みを行う不揮発性メモリであれば、フラッシュメモリ７０４に限らず、ＥＥＰＲＯＭ等を用いてもよい。
図１１は、プロジェクタ８のハードウェア構成図である。図１１に示すように、プロジェクタ８は、ＣＰＵ（Central Processing Unit）８０１、ＲＯＭ（Read Only Memory）８０２、ＲＡＭ（Random Access Memory）８０３、メディアＩ／Ｆ(Interface)８０７、操作部８０８、電源スイッチ８０９、バスライン８１０、ネットワークＩ／Ｆ８１１、ＬＥＤ（Light Emitting Diode）駆動回路８１４、ＬＥＤ光源８１５、投写デバイス８１６、投写レンズ８１７、外部機器接続Ｉ／Ｆ(Interface)８１８、ファン駆動回路８１９、冷却ファン８２０を備えている。
これらのうち、ＣＰＵ８０１は、プロジェクタ８全体の動作を制御する。ＲＯＭ８０２は、ＣＰＵ８０１の駆動に用いられるプログラムを記憶する。ＲＡＭ８０３は、ＣＰＵ８０１のワークエリアとして使用される。
メディアＩ／Ｆ８０７は、フラッシュメモリ等の記録メディア８０６に対するデータの読み出し又は書き込み（記憶）を制御する。
【００３８】
操作部８０８は、種々のキー、ボタン及びＬＥＤ等が配設されており、ユーザによるプロジェクタ８の電源のＯＮ／ＯＦＦ以外の各種操作を行うのに使用される。例えば、操作部８０８は、投写画像の大きさの調整操作、色調の調整操作、ピント調整操作、キーストン調整操作等の指示操作を受け付けて、受け付けた操作内容をＣＰＵ８０１に出力する。
電源スイッチ８０９は、プロジェクタ８の電源のＯＮ／ＯＦＦを切り換えるためのスイッチである。
バスライン８１０は、図１１に示されているＣＰＵ８０１等の各構成要素を電気的に接続するためのアドレスバスやデータバス等である。
ネットワークＩ／Ｆ８１１は、インターネット等の通信ネットワーク１００を利用してデータ通信をするためのインターフェースである。
【００３９】
ＬＥＤ駆動回路８１４は、ＣＰＵ８０１の制御下で、ＬＥＤ光源８１５の点灯及び消灯を制御する。
ＬＥＤ光源８１５は、ＬＥＤ駆動回路８１４の制御によって点灯されると、投写光を投写デバイス８１６に照射する。
【００４０】
投写デバイス８１６は、外部機器接続Ｉ／Ｆ８１８等を介して与えられた画像データに基づいて、空間光変調方式によりＬＥＤ光源８１５からの投写光を変調して得た変調光を、投写レンズ８１７を通して、スクリーンの投写面へ画像として投写する。投写デバイス８１６としては、例えば、液晶パネルまたはＤＭＤ（Digital Micromirror Device）等が用いられている。上記ＬＥＤ駆動回路８１４、ＬＥＤ光源８１５、投写デバイス８１６及び投写レンズ８１７は、全体として、画像データに基づいて投写面に投写画像を投写する投写部（投写手段）として機能している。
外部機器接続Ｉ／Ｆ８１８は、直接、ＰＣ(Personal Computer)が接続され、ＰＣとの間で、制御信号や画像データを取得する。
【００４１】
ファン駆動回路８１９は、ＣＰＵ８０１及び冷却ファン８２０に接続されており、ＣＰＵ８０１からの制御信号に基づいて、冷却ファン８２０の駆動／駆動停止を行う。
冷却ファン８２０は、回転することで、プロジェクタ８内部の空気を排気して、プロジェクタ８内部を冷却する。
また、ＣＰＵ８０１は、電源電力が供給されると、ＲＯＭ８０２に予め記憶されている制御プログラムに従って起動し、ＬＥＤ駆動回路８１４に制御信号を与えてＬＥＤ光源８１５を点灯させるとともに、ファン駆動回路８１９に制御信号を与えて冷却ファン８２０を所定の定格回転数で回転させる。また、プロジェクタ８は、電源回路２１からの電源電力の供給が開始されると、投写デバイス８１６が画像表示可能状態になり、更に、他の種々の構成要素へ電源回路２１から電力が供給される。
【００４２】
また、プロジェクタ８は、電源スイッチ８０９がＯＦＦ操作されると、電源スイッチ８０９から電源ＯＦＦ信号がＣＰＵ８０１に送られ、ＣＰＵ８０１は、電源ＯＦＦ信号を検知すると、ＬＥＤ駆動回路８１４へ制御信号を与えてＬＥＤ光源８１５を消灯させる。ＣＰＵ８０１は、その後、所定時間が経過すると、ファン駆動回路８１９へ制御信号を与えて冷却ファン８２０を停止させるとともに、自身で自身の制御処理を終了させ、最後に電源回路２１へ指示を与えて電源電力の供給を停止させる。
【００４３】
図１２は、ＭＦＰのハードウェア構成図である。図１２に示されているように、ＭＦＰ(Ｍultifunction Peripheral/Product/Printer９は、コントローラ９１０、近距離通信回路９２０、エンジン制御部９３０、操作パネル９４０、ネットワークＩ／Ｆ９５０を備えている。
これらのうち、コントローラ９１０は、コンピュータの主要部であるＣＰＵ９０１、システムメモリ（ＭＥＭ−Ｐ）９０２、ノースブリッジ（ＮＢ）９０３、サウスブリッジ（ＳＢ）９０４、ＡＳＩＣ(Application Specific Integrated Circuit)９０６、記憶部であるローカルメモリ（ＭＥＭ−Ｃ）９０７、ＨＤＤコントローラ９０８、及び、記憶部であるＨＤ９０９を有し、ＮＢ９０３とＡＳＩＣ９０６との間をＡＧＰ(Accelerated Graphics Port)バス９２１で接続した構成となっている。
【００４４】
これらのうち、ＣＰＵ９０１は、ＭＦＰ９の全体制御を行う制御部である。ＮＢ９０３は、ＣＰＵ９０１と、ＭＥＭ−Ｐ９０２、ＳＢ９０４、及びＡＧＰバス９２１とを接続するためのブリッジであり、ＭＥＭ−Ｐ９０２に対する読み書きなどを制御するメモリコントローラと、ＰＣＩ(Peripheral Component Interconnect)マスタ及びＡＧＰターゲットとを有する。
ＭＥＭ−Ｐ９０２は、コントローラ９１０の各機能を実現させるプログラムやデータの格納用メモリであるＲＯＭ９０２ａ、プログラムやデータの展開、及びメモリ印刷時の描画用メモリなどとして用いるＲＡＭ９０２ｂとからなる。なお、ＲＡＭ９０２ｂに記憶されているプログラムは、インストール可能な形式又は実行可能な形式のファイルでＣＤ−ＲＯＭ、ＣＤ−Ｒ、ＤＶＤ等のコンピュータで読み取り可能な記録媒体に記録して提供するように構成してもよい。
【００４５】
ＳＢ９０４は、ＮＢ９０３とＰＣＩデバイス、周辺デバイスとを接続するためのブリッジである。ＡＳＩＣ９０６は、画像処理用のハードウェア要素を有する画像処理用途向けのＩＣ(Integrated Circuit)であり、ＡＧＰバス９２１、ＰＣＩバス９２２、ＨＤＤ９０８およびＭＥＭ−Ｃ９０７をそれぞれ接続するブリッジの役割を有する。このＡＳＩＣ９０６は、ＰＣＩターゲットおよびＡＧＰマスタ、ＡＳＩＣ９０６の中核をなすアービタ（ＡＲＢ）、ＭＥＭ−Ｃ９０７を制御するメモリコントローラ、ハードウェアロジックなどにより画像データの回転などを行う複数のＤＭＡＣ(Direct Memory Access Controller)、並びに、スキャナ部９３１及びプリンタ部９３２との間でＰＣＩバス９２２を介したデータ転送を行うＰＣＩユニットとからなる。なお、ＡＳＩＣ９０６には、ＵＳＢ(Universal Serial Bus)のインターフェースや、ＩＥＥＥ１３９４(Institute of Electrical and Electronics Engineers 1394）のインターフェースを接続するようにしてもよい。
ＭＥＭ−Ｃ９０７は、コピー用画像バッファ及び符号バッファとして用いるローカルメモリである。ＨＤ９０９は、画像データの蓄積、印刷時に用いるフォントデータの蓄積、フォームの蓄積を行うためのストレージである。ＨＤ９０９は、ＣＰＵ９０１の制御にしたがってＨＤ９０９に対するデータの読出又は書込を制御する。ＡＧＰバス９２１は、グラフィック処理を高速化するために提案されたグラフィックスアクセラレータカード用のバスインタフェースであり、ＭＥＭ−Ｐ９０２に高スループットで直接アクセスすることにより、グラフィックスアクセラレータカードを高速にすることができる。
【００４６】
また、近距離通信回路９２０には、近距離通信回路９２０ａが備わっている。近距離通信回路９２０は、ＮＦＣ、Ｂｌｕｅｔｏｏｔｈ（登録商標）等の通信回路である。
更に、エンジン制御部９３０は、スキャナ部９３１及びプリンタ部９３２によって構成されている。また、操作パネル９４０は、現在の設定値や選択画面等を表示させ、操作者からの入力を受け付けるタッチパネル等のパネル表示部９４０ａ、並びに、濃度の設定条件などの画像形成に関する条件の設定値を受け付けるテンキー及びコピー開始指示を受け付けるスタートキー等からなる操作パネル９４０ｂを備えている。コントローラ９１０は、ＭＦＰ９全体の制御を行い、例えば、描画、通信、操作パネル９４０からの入力等を制御する。スキャナ部９３１又はプリンタ部９３２には、誤差拡散やガンマ変換などの画像処理部分が含まれている。
【００４７】
なお、ＭＦＰ９は、操作パネル９４０のアプリケーション切り替えキーにより、ドキュメントボックス機能、コピー機能、プリンタ機能、およびファクシミリ機能を順次に切り替えて選択することが可能となる。ドキュメントボックス機能の選択時にはドキュメントボックスモードとなり、コピー機能の選択時にはコピーモードとなり、プリンタ機能の選択時にはプリンタモードとなり、ファクシミリモードの選択時にはファクシミリモードとなる。
また、ネットワークＩ／Ｆ９５０は、通信ネットワーク１００を利用してデータ通信をするためのインターフェースである。近距離通信回路９２０及びネットワークＩ／Ｆ９５０は、ＰＣＩバス９２２を介して、ＡＳＩＣ９０６に電気的に接続されている。
【００４８】
本発明は、上記実施の形態そのままに限定されるものではなく、実施段階ではその要旨を逸脱しない範囲で構成要素を変形して具体化したり、上記実施の形態に開示されている複数の構成要素を適宜組み合わせて実施することができる。
【符号の説明】
【００４９】
１０００      画像形成装置
１００        電源装置
２００        突入防止装置
３００        負荷回路
４００        電圧モニタ回路
４０１        容量測定部
５００        駆動信号出力部
Ｃ１〜Ｃ３    コンデンサ
Ｒ１、Ｒ２    負荷抵抗
Ｓ            スイッチ
【先行技術文献】
【特許文献】
【００５０】
【特許文献１】特開２０１０‐１１７８３４号公報
【図１】
2020140527.tif 000005
【図２】
2020140527.tif 000006
【図３】
2020140527.tif 000007
【図４】
2020140527.tif 000008
【図５】
2020140527.tif 000009
【図６】
2020140527.tif 000010
【図７】
2020140527.tif 000011
【図８】
2020140527.tif 000012
【図９】
2020140527.tif 000013
【図１０】
2020140527.tif 000014
【図１１】
2020140527.tif 000015
【図１２】
2020140527.tif 000016